(57)【要約】      （修正有）【課題】特に出入りの多い行楽地・サービスエリア・飲食店等のトイレから、汚物を踏んでしまって汚染した履物底裏面で、自動車内等の床面の小さな足元マットに擦り付ける状態が現状で汚染して、衛生面・精神面に課題があり尚、傾斜の床面に敷設した場合液体が浅い容器の周縁壁高の対称バランスが崩れ液体が流れだし維持出来ない課題もある。【解決手段】トイレ等、出口通路床面の一部に、平らたく適宜な面積で深さ１０数ｍｍ程度の浅い容器１内にブラシ状マット４を満タンの液体２面に適宜に合わせて浸し、履物底裏面３を洗浄するマット４を敷詰める手段を講じ歩行中に該、洗浄マット４上を踏むと履物底裏面３がマット４と液体２の相乗作用で洗浄され尚、汚水はオーバーフロー１０で排出した同量の新しい液体２を常に満タンに容器１に給水１０され、マット４も洗浄されきれいな状態を、傾斜床面の敷設でも維持する構造の解決手段で構成した。【選択図】図１
2014004308.tif 000002
【特許請求の範囲】
【請求項１】
平たく浅い容器１内に維持した液体２を、作動時に伴い順次流動的に入れ替え満タンに蓄えた中に、マット４を敷き詰めて該、マット４も常にきれいな状態に洗浄（クリーニング）で履物底裏面３を洗浄する、機能の備えた構成を特徴とする履物底裏面３の洗浄マット４。
【請求項２】
容器１の条件の、（Ａ）水平床面に敷設の場合履物底裏面３で踏んで洗浄稼働時の液体２のオーバーフロー以外に、（Ｂ）傾斜床面に敷設の場合による流出（図示せず）を防ぎ、液体２を維持するため容器１内の仕切り壁１１を構成した事を特徴とする、請求項１に記載の履物底裏面３洗浄マット４。
【発明の詳細な説明】
【技術分野】
【０００１】  本発明は汚物で汚染した履物底裏面を洗浄するマットに関するものである。
【背景技術】
【０００２】  従来から、例えば自動車（以下車と言う）で買い物・サービスエリア・飲食店等での、特に男性用公衆トイレ使用時等で、複数の前人者が誤って便器外の床面に不用意に零し細菌により腐敗した尿（以下汚物と言う）を履物底裏面で踏んでしまって、気づかぬまま、車に持ち帰って小さな（小面積）足元マットに集中的に、擦り付けて車内環境を汚染してしまう不衛生な現状がある。【０００３】  尚、車内等マットの汚染意識も少なく、そこに落とした物を拾い、そのまま元に戻す事も多く、衛生面や精神面上不潔である。【０００４】  汚染した履物の底裏面で清潔な車内や室内の床面等へ、無意識のまま歩行し、間接的に汚染を拡散してしまう不潔な現状がある。【０００５】    汚物を踏んだ履物底裏面の汚染を意識的に浅い雨水の貯まりに浸してペタペタと洗浄している光景を見ることもある。【０００６】
【特許文献】  特開２００１−６７２０８号・実用新案登録３１４８８４６号
【０００７】
【非特許文献】  オートマット・シューズクリーナー等の商品名で販売されている。
【発明の概要】
【発明が解決しようとする課題】
【０００８】  しかしながら、特開２０１−６７２０８０８公報では、液体によって靴底裏面等をマットを踏んだ際に洗浄するが、ほぼ水平な設置面では周縁部壁の高さに囲まれて目的の液体が維持されるが、傾斜面に傾いて設置した場合該、周縁壁の高さのバランスが崩れて液体は流れ出て維持は不可能で尚、（図示せず）靴底裏面等の汚染を洗浄して汚れた液体・マットを入れ替え・洗浄する面倒な手間に課題がある。実用新案登録第３１４８８４６号では、前記と同じく液体を介して靴底裏面等を洗浄するがモーターの稼働で目的を達成しているため、機械的で嵩も高く設置場所も限られる等課題がある。【０００９】  上記非特許文献も、履物底裏面を洗浄する為にはモーターの稼働が不可欠で上記と同じく構造が複雑・嵩が高い・経済面等にも課題がある。【００１０】  従来から履物の底裏面で汚物を踏んで、出口付近に設置したマットに汚れた履物裏面を踏む動作をしても、精神的な間違った気休めに過ぎず汚れを擦り付けるだけでその結果、マットの汚染は増幅し更に悪化するので該、履物裏面洗浄効果は期待できず、そのまま汚染を歩行先へ拡散してしまう等、衛生面に課題がある。【００１１】  特に汚染先が車の狭い足元マットの場合は汚染の密度が高く、衛生面・精神面に、より深刻な課題がある。
【課題を解決するための手段】
【００１２】  以下図面の符号に基づき詳説する、平たく浅い容器１内に維持した水・消毒液（以下液体２と言う）を、作動に伴い順次流動的に入れ替え、満タンに蓄えた中にマット４を敷き詰めて該、マット４も常にきれいな状態に洗浄（クリーニング）した中に、順次に続く人が再度履物を踏み入れ、歩行通過中に履物底裏面（以下履物３と言う）の汚染を洗浄する手段を講じた。【００１３】  敷設箇所面条件による、図４（Ｂ）の様な傾斜する床面では、容器１から洗浄水・液体２が流出してしまい、維持できな（図示せず）いのでマット４と同じく履物３で踏むと、その時だけ押さえ込まれ作動する時以外に、液体２を維持する仕切壁１１を設ける手段を講じた。
【発明の効果】
【００１４】  容器１に蓄えた液体２に履物３を踏み入れると該、履物３は洗浄されると同時に洗浄で汚れた液体２はオーバーフロー１０して、履物３が去った後には再び該、オーバーフロー１０した同量のきれいな液体２が容器１に補充されるので、一度の汚染を洗浄する必要な液体２は小量で効率良く履物３が洗浄され、用便後の衛生・除菌・精神面等気分的にスッキリする効果がある。【００１５】  傾斜床面に敷設すると容器１の一部周縁壁高の水平線のバランスが崩れたて該、液体２が流れ出てしまうので容器１内に、容器１内壁１１を（例えば傾斜地の棚田それぞれが〔仕切壁〕あぜで、流水を防ぎ常に水を維持する様に）設ける事で液体２を維持する効果がある。【００１６】  特に病院等医療・精密機器現場や食品を扱う現場の出入り口付近に敷設することで、ゴミ・ホコリ・細菌等（汚れ）の侵入の軽減に効果がある。【００１７】  本発明は、上記課題に鑑みてなされるもので、歩行中に容易（ほぼ無意識）に踏み履物３を洗浄するマット４を、安価に提供するものである。
【図面の簡単な説明】
【００１８】
【図１】履物底裏面洗浄マット、通過時の平面図である。
【図２】履物底裏面洗浄マット通過時の断面図である。
【図３】履物底裏面洗浄容器内の仕切り壁を示す平面図である。
【図４】マットの仕切壁の効果での、水平Ａ・傾斜Ｂの敷設状態の水位を示す側断面図である。
【図５】履物底裏面を踏み込み時の実施形態を示す、部分側面の拡大図である。
【図６】本発明の履物底裏面洗浄マットと従来の足拭マットを並べて敷設した位置の一例を示す平面図である。
【発明を実施するための形態】
【００１９】  容器１内の間仕切壁１１及は容器１の周縁壁より５ｍｍ程度低く対称的に、マット４の先端は液体面２上に約５ｍｍ程度露出し毛細現象て常に、濡ている状態の設定で構成している。
【００２０】  上述のように、特に懸案の男子トイレの使用時には前人者が誤って零してしまった汚物を、無意識に踏んでしまい、履物３が汚染する事が多々あるが、退室の歩行通過過程の床面に敷設したマット４踏む結果履物３が洗浄され、歩行先への汚染の拡散を軽減が可能な構造で構成した。
【００２１】  容器１内の液体２は常に満タンで、履物３が液体２に浸ったマット４に踏み込むと汚染が洗浄され尚、洗浄で汚染された汚水はオーバーフロー１０して、（排出）履物３が容器１から去った後は該、オーバーフロー１０した同量（少量）のきれいな液体２が満タンな状態に給水９する様に、センサー等で操作する様に構成するものである。
【００２２】  敷設・稼働前は常にマット４が容器１内のきれいな液体２に浸された（濡マット状態）形態を維持するものである。
【００２３】  発明をより効率よく実施する為に、適宜な面積・方向（図３に示す様に）に従来技術の履物底裏面拭マット１２を洗浄で付着した液体２を拭取るために、並べて敷設する事が好ましい。
【００２４】  上記〔００１４〕の様にマット４及び容器１内仕切壁１１を、履物３で踏みこんだ結果その体積の汚水がオーバーフロー１０し、（履物３で踏んでも容器１周縁壁及び溝１３は変形する事はない）溝１３を介して床面排水口（近く）６に排出する様に敷設する事がのぞましい。
【００２５】  容器１とマット４間仕切壁１１を合成樹脂で、一体構造に成型しても良い。
【実施例】
【００２６】  本発明の一実施例を図面の符号に基き詳説する、前記の様に洗浄して汚れた液体２は排出１０して常に容器１内の液体２は給水９され、常にマット４の機能がきれいな状態で維持する様に構成されている。【００２７】  マット４の上を、履物３で踏んだ時の水跳ねを防止して、履物３の汚物を液体２及びブラシ状ブラシ４の相乗作用で効率よく除去するための該、ブラシ状マット４を容器１内に敷き詰める構造で構成した。【００２８】  ブラシ状マット４及び容器１内間仕切壁１１部分は、何れも踏む間は重圧で（一時的に）圧し曲げられる材料で構成した。【００２９】  歩行中洗浄マット４を踏むと履物３がブラシ４と液体２の相乗作用で洗浄され、汚れた液体２はオーバーフロー１０して排出と同時に該、踏む圧力や足の影等をセンサー５が感知して（途切れる事ない程の、利用頻度多い場合は適切な液体を常に流しても良い）きれいな液体２の弁が作動し給水９する様に構成されている。【００３０】  本発明の履物３洗浄マット４の効果を発揮するには、公衆トイレ・飲食店トイレ等では汚れを拡散しない為に出口付近に又、医療施設・精密工場等ではは〔００１５〕に記載の様に入り口付近に設置する事が肝要である。
【符号の説明】
【００３１】    １  容器
２  水・液体（除菌の為の消毒液等でも良い）・液体面
３  履物底裏面・足踏痕跡
４  ブラシ状マット（スポンジ・織物等でも良い）
５  センサー
６  床面排水口
７  便器
８  トイレの出入り口付近
９  給水
１０  排水（オーバーフロー）
１１  容器１内の仕切壁
１２  従来技術の履物底裏面拭マット
１３  溝
１４  履物底裏面洗浄マット本体
【図１】
2014004308.tif 000003
【図２】
2014004308.tif 000004
【図３】
2014004308.tif 000005
【図４】
2014004308.tif 000006
【図５】
2014004308.tif 000007
【図６】
2014004308.tif 000008